(57)【要約】【課題】通話の係属先を第１ＴＣＨから第２ＴＣＨへと切り換える。【解決手段】移動端末ＰＳからの通信信号が接続される第１の無線チャネル１と、その後に接続可能となる第２の無線チャネル２と、それらに接続された通信信号のうち通信品質の良い通信信号を採用するスロットダイバーシティ機能部３と、を備えた通信システムＥまたは基地局ＣＳにおいて、第１の無線チャネル１と第２の無線チャネル２とを交換する無線チャネル交換部４と、通信信号の通信品質を検出する通信品質検出手段５と、通信品質検出手段５により前記両チャネルそれぞれによる通信品質を比較検出する通信品質比較手段６と、第１の無線チャネル１の通信品質が所定基準より悪化した時に、移動端末ＰＳに無線チャネル交換の可否を問うと共に第２の無線チャネル２へと交換するように無線チャネル交換部４に指示する制御部７と、を含む。【選択図】図６
2008166924.tif 000002
【特許請求の範囲】
【請求項１】
移動端末と、前記移動端末からの通信信号が接続される第１の無線チャネルと、
前記第１の無線チャネルに前記通信信号が接続されることにより接続可能となる第２の無線チャネルと、
前記第１の無線チャネルまたは前記第２の無線チャネルに接続された前記通信信号のうち通信品質の良い通信信号を採用するスロットダイバーシティ機能部と、を備えた基地局と、を含む通信システムにおいて、
前記第１の無線チャネルと前記第２の無線チャネルとを交換する無線チャネル交換部と、
前記基地局における前記通信信号の通信品質を検出する通信品質検出手段と、
前記通信品質検出手段により前記第１の無線チャネルと前記第２の無線チャネルそれぞれによる通信品質を比較検出する通信品質比較手段と、
前記第１の無線チャネルの通信品質が所定基準より悪化した時に前記移動端末に無線チャネル交換の可否を問うと共に前記無線チャネル交換部に交換を指示する制御部と、を含むことを特徴とする通信システム。
【請求項２】
前記請求項１に記載の通信システムにおいて、前記制御部は、前記移動端末からの応答により必要とされる情報が前記基地局に認識された時にのみ機能することを特徴とする通信システム。
【請求項３】
移動端末からの通信信号が接続される第１の無線チャネルと、
前記第１の無線チャネルに前記通信信号が接続されることにより接続可能となる第２の無線チャネルと、
前記第１の無線チャネルまたは前記第２の無線チャネルに接続された前記通信信号のうち通信品質の良い通信信号を採用するスロットダイバーシティ機能部と、を備えた基地局において、
前記第１の無線チャネルと前記第２の無線チャネルとを交換する無線チャネル交換部と、
前記基地局における前記通信信号の通信品質を検出する通信品質検出手段と、
前記通信品質検出手段により前記第１の無線チャネルと前記第２の無線チャネルそれぞれによる通信品質を比較検出する通信品質比較手段と、
前記第１の無線チャネルの通信品質が所定基準より悪化した時に前記移動端末に無線チャネル交換の可否を問うと共に前記無線チャネル交換部に交換を指示する制御部と、を含むことを特徴とする基地局。
【請求項４】
前記請求項３に記載の基地局において、前記移動端末からの応答により必要とされる情報が認識された時にのみ機能する前記制御部を備えたことを特徴とする基地局。
【請求項５】
移動端末からの通信信号が接続される第１の無線チャネルと、前記第１の無線チャネルに前記通信信号が接続されることにより接続可能となる第２の無線チャネルと、を用いて通信を行なう移動端末において、チャネル交換の可否を問われた時に応答可能であること特徴とする移動端末。
【請求項６】
移動端末からの通信信号を第１の無線チャネルまたは第２の無線チャネルに接続する通信接続ステップと、
前記通信信号の通信品質を検出する通信品質検出ステップと、
前記第１の無線チャネルと前記第２の無線チャネルそれぞれによる通信品質を比較検出する通信品質比較ステップと、
前記第１の無線チャネルまたは前記第２の無線チャネルに接続された前記通信信号のうち通信品質の良い通信信号を採用するスロットダイバーシティステップと、
前記第１の無線チャネルの通信品質が所定基準より悪化した時に前記移動端末に無線チャネル交換の可否を問うと共に前記無線チャネル交換部に交換を指示する交換指示ステップと、
前記無線チャネル交換部が前記第１の無線チャネルと前記第２の無線チャネルとを交換する交換実行ステップと、を含むことを特徴とする通信方法。
【発明の詳細な説明】
【技術分野】
【０００１】
本発明は、通信システム、基地局、移動端末および通信方法に関する。
【背景技術】
【０００２】
スロットダイバーシティ技術を利用すれば、ある特定の周波数キャリアが妨害波の干渉を受けても、同時に違うキャリアで通信を行っているので、通信品質の低下を避けることができ、また、１つの通信スロットでシーケンス衝突が発生しているような場合でも、もう１つのスロットで通信することで通信不可能という事態は避けることができるシステムがあった（例えば特許文献１）。
従来の一般的なスロットダイバーシティ技術は、スロットダイバーシティチャネルを構成するチャネル（以下、「ＴＣＨ（Traffic Channel）」、「スロット」または「無線チャネル」という）のうち、第１ＴＣＨの無線状態（「通信品質」ともいう）が悪くなると第２ＴＣＨを追加し、２つを比べ良好な無線状態の方を選択して無線通信（以下、「通話」ともいう）を継続可能にする機能である。スロットダイバーシティ中は１人の音声ユーザが２スロットを専用利用するため、スロット効率が悪い。このスロット効率の悪さを少しでも改善するために、第１ＴＣＨの無線状態を示す電界強度等が閾値を超えることにより通信品質が好転すれば、第２ＴＣＨを解放する。
【特許文献１】特開２００５−３３４１９号公報
【発明の開示】
【発明が解決しようとする課題】
【０００３】
しかしながら、「第１ＴＣＨの無線状態が悪く第２ＴＣＨが良好な無線状態」の場合、「第２ＴＣＨのみで通話を続けているにもかかわらず、通話に不使用の第１ＴＣＨを解放しない」という不合理が生ずる。この不合理は以下の原因によるものである。
スロットダイバーシティ技術において、ＰＨＳのシステムを維持管理する観点から、通話が最初に係属した第１ＴＣＨのみに管理機能がある。一方、第１ＴＣＨの補欠として２番目に通話が係属した第２ＴＣＨには管理機能がなく、第１ＴＣＨに付属する予備機能と位置づけられている。
このため、第１ＴＣＨと第２ＴＣＨの両者を同等には扱えず、無線状態に応じて第１ＴＣＨと第２ＴＣＨを適宜に切り換えて通信品質を維持するような運用ができなかった。具体的には、第１ＴＣＨのみに課金情報等を管理する機能が具備されているために、その管理主体である第１ＴＣＨを切断すると課金情報等の管理機能まで失うことになり、ＰＨＳのシステム維持が困難になるからである。
したがって、第１ＴＣＨに係属中の通話が、無線状態の変化により品質劣化した場合、その通信品質劣化を解消するため、通話の係属先を第１ＴＣＨから第２ＴＣＨへと切り換えたくとも、第１ＴＣＨのみに付属する課金情報等を管理する機能を維持する必要があるため、通話に寄与しない第１ＴＣＨとの係属を維持せざるを得ない。
本来なら第１ＴＣＨと第２ＴＣＨを、独立した２通話に割り当てることで、限られた通信経路の有効利用を図るべきである。すなわち、通話の係属先を第１ＴＣＨから第２ＴＣＨへと切り換えたならば、空いた第１ＴＣＨを速やかに解放して他の通信に譲るべきである。なぜなら、第１ＴＣＨの先使用者に対しては通信品質が劣化したと感じられる時であっても、その第１ＴＣＨを譲り受けた譲受人にとっては、そこを品質良好に新規通話利用できる可能性が残されているからである。
【０００４】
本発明は上述した事情に鑑みてなされたものであり、ＰＨＳ本来の目的に沿って、公衆通信に寄与する限られた通信経路の有効利用を図るべく、無線状態の変化により、第１ＴＣＨの先使用者にとって、その通信品質が劣化した場合には、第１ＴＣＨのみに付属する課金情報等を管理する機能まで含めて、通話の係属先を第１ＴＣＨから第２ＴＣＨへと切り換えることのできる通信システム、基地局、移動端末、通信方法を提供することを目的とする。
【課題を解決するための手段】
【０００５】
前記課題を解決するために、第１の発明は、前記移動端末からの通信信号が接続される第１の無線チャネルと、前記第１の無線チャネルに前記通信信号が接続されることにより接続可能となる第２の無線チャネルと、前記第１の無線チャネルまたは前記第２の無線チャネルに接続された前記通信信号のうち通信品質の良い通信信号を採用するスロットダイバーシティ機能部と、を備えた基地局と、を含む通信システムまたは基地局において、前記第１の無線チャネルと前記第２の無線チャネルとを交換する無線チャネル交換部と、前記基地局における前記通信信号の通信品質を検出する通信品質検出手段と、前記通信品質検出手段により前記第１の無線チャネルと前記第２の無線チャネルそれぞれによる通信品質を比較検出する通信品質比較手段と、前記第１の無線チャネルの通信品質が所定基準より悪化した時に前記移動端末に無線チャネル交換の可否を問うと共に前記無線チャネル交換部に交換を指示する制御部と、を含むことを特徴とするシステムまたは基地局である。
【０００６】
第２の発明は、前記移動端末からの応答により必要とされる情報が前記基地局に認識された時にのみ機能する前記制御部を備えたことを特徴とするシステムまたは基地局である。
【０００７】
第３の発明は、移動端末からの通信信号が接続される第１の無線チャネルと、前記第１の無線チャネルに前記通信信号が接続されることにより接続可能となる第２の無線チャネルと、無線チャネル交換の可否を問われて応答可能であること特徴とする移動端末である。
【０００８】
第４の発明は、移動端末からの通信信号を第１の無線チャネルまたは第２の無線チャネルに接続する通信接続ステップと、前記通信信号の通信品質を検出する通信品質検出ステップと、前記第１の無線チャネルと前記第２の無線チャネルそれぞれによる通信品質を比較検出する通信品質比較ステップと、前記第１の無線チャネルまたは前記第２の無線チャネルに接続された前記通信信号のうち通信品質の良い通信信号を採用するスロットダイバーシティステップと、前記第１の無線チャネルの通信品質が所定基準より悪化した時に前記移動端末に無線チャネル交換の可否を問うと共に前記無線チャネル交換部に交換を指示する交換指示ステップと、前記無線チャネル交換部が前記第１の無線チャネルと前記第２の無線チャネルとを交換する交換実行ステップと、を含むことを特徴とする通信方法である。
【発明の効果】
【０００９】
本発明によれば、第１の無線チャネルは、基地局ＣＳが移動端末ＰＳとの無線通信が開始されると、まず始めに通信信号が接続される。第２の無線チャネルは第１の無線チャネルの補欠または予備に位置づけられて補完機能を果たす。この第２の無線チャネルは、課金情報等の管理機能を備えた第１の無線チャネルに通信信号が接続されたことを条件にして接続可能となる。
【００１０】
スロットダイバーシティ機能部における無線チャネル交換部は制御部からの指示に応じて、第１の無線チャネルと第２の無線チャネルとを管理機能まで含めて交換する。通信品質検出手段は、基地局ＣＳで受信した通信信号の通信品質を検出する。通信品質比較手段は、通信品質検出手段により検出された通信品質を第１の無線チャネルと第２の無線チャネルそれぞれを経由した通信品質で比較検出する。
【００１１】
制御部は、第１の無線チャネルの通信品質が所定基準より悪化した時、無線チャネル交換部に指示すると共に前記移動端末に前記交換の可否を問い合わせた結果、追従して通信継続可能との応答があれば第１の無線チャネルから第２の無線チャネルへと機能を交換させる。この時、第１の無線チャネルに属していた管理機能は、第２の無線チャネルへと移管して維持されるので、第１の無線チャネルに依存していた通信の係属を切断しても課金情報等を失わない。このため、第１の無線チャネルを他の通話に供与可能な状態となり、通信システム、基地、携帯端末に係る無線リソースの有効利用が図れる。
【００１２】
すなわち、選択可能な複数のＴＣＨのうち、何れかの通信品質が規定よりも良くなれば、初めに通話が係属した第１ＴＣＨか、２番目に通話が係属した第２ＴＣＨか、あるいは、その他ＴＣＨの指定なく、通信品質の悪いほうのＴＣＨを切断する。これにより、スロットダイバーシティの効率を高く維持できる。
【発明を実施するための最良の形態】
【００１３】
以下、本発明に係る実施形態（以下、「本実施形態」という）を図に沿って説明する。図１は、本実施形態に係るＰＨＳ端末（以下、「移動端末」または「端末」ともいう）ＰＳと、ＰＨＳ公衆基地局（以下、「基地局」ともいう）ＣＳの各部機能を示すブロック図である。
【００１４】
図１において、移動端末ＰＳには、無線部１１、制御部１２、記憶部（メモリ）１３を備えて構成されている。また、基地局ＣＳには、モデム部１４、無線部１５、制御部１７、記憶部（メモリ）１９を備えて構成されている。
【００１５】
移動端末ＰＳの無線部１１にはメッセージ送受信部１１ａが配設され、制御部１２にはメッセージ解析部１２ａおよびメッセージ作成部１２ｂが配設され、記憶部（メモリ）１３には呼状態管理部１３ａが配設されている。また、基地局ＣＳには、モデム部１４、無線部１５、制御部１７、記憶部（メモリ）１９が配設されている。
【００１６】
基地局ＣＳのモデム部１４には無線部１５が含まれ、その無線部１５にはメッセージ送受信部１５ａおよび通信状態監視部１５ｂが配設されている。基地局ＣＳの制御部１７にもメッセージ解析部１７ａ、メッセージ作成部１７ｂおよび通信状態は判定部１８が配設され、記憶部（メモリ）１９にも呼状態管理部１９ａが配設されている。なお、請求項１に記載した第１の無線チャネル、第２の無線チャネル、無線チャネル交換部および通信品質検出手段は、図１における無線部１５に含まれている。同様に、スロットダイバーシティ機能部は、図１における基地局ＣＳ全体で構成されている。同様に、通信品質検出手段および通信品質比較手段は図１における通信状態監視部１５ｂおよび通信状態判定部１８が相当している。
【００１７】
図２は本実施形態に係るＰＨＳ公衆基地局ＣＳの記憶部１９における呼管理テーブルのデータ構成図（以下、「テーブルイメージ」ともいう）である。呼番号に基づいて、第１ＴＣＨ情報としてスロット番号、キャリア番号、通信方式、通信レート、・・・、そして第２ＴＣＨ情報、通話開始時間、・・・等の情報が記憶される。ここで、第２ＴＣＨ情報にもスロット番号、キャリア番号、通信方式、通信レート、・・・、という類似の情報を記憶可能な記憶領域が設けられている。また、通話開始時間は課金情報を形成する管理情報の一つである。
【００１８】
図２のテーブルイメージに矢印で示すように、第１ＴＣＨと第２ＴＣＨ情報は記憶領域のアドレスを変換する等により入れ替えることができる。この時、基地局ＣＳと端末ＰＳとの間の通信を保つための必要最小限の情報の入れ替えを行う。
【００１９】
図３は本実施形態におけるＴＣＨ交換の説明図であり、（ａ）フローチャート、（ｂ）管理テーブルの情報構成図である。図３（ａ）フローチャートに示すように、通話中にはスロットダイバーシティ機能も作動中である（Ｓ３１）。
【００２０】
そして、ループ（Ｓ３２−Ｓ３２′）の規定により第２ＴＣＨの通話品質が規定以上であるか否か？を監視する（Ｓ３３）。監視（Ｓ３３）の結果がＹｅｓであれば、ＴＣＨ交換要求を送信する（Ｓ３４）。これに対して、ＴＣＨ交換応答が受信されたか否か？（Ｓ３５）を確認する。
【００２１】
確認（Ｓ３５）の結果がＹｅｓであれば、ＴＣＨ交換対応端末とみなし基地局の第１ＴＣＨと第２ＴＣＨの情報の入れ替えを行う（Ｓ３６）。この情報の入れ替え（Ｓ３６）を図３（ｂ）管理テーブルの情報構成図に示している。ついで、第２ＴＣＨに切断要求を送信する（Ｓ３７）。一方、確認（Ｓ３５）の結果がＮｏであれば、ＴＣＨ交換未対応端末とみなし従来どおりのスロットダイバーシティ通信を続ける。以降、ＴＣＨ交換要求を送信しない（Ｓ３８）。
【００２２】
このように、新規メッセージを受信できないＴＣＨ交換未対応端末に対しては、基地局ＣＳ側で管理テーブルの情報を入れ替えてはならないので、応答メッセージの有無で対応端末であるか否かの判断（Ｓ３５）を行う。あるいは、端末ＰＳから最初に送信するＴＣＨ確立要求に対応端末である旨の情報をのせてもよい。
【００２３】
図４は本実施形態におけるＴＣＨ交換の説明図であり、（ａ）シーケンス図、（ｂ）管理テーブルの情報構成図である。図４に示すように、通話中にはスロットダイバーシティ機能を使用中である（Ｓ４１）。ここで、第２ＴＣＨの通話品質が規定以上に回復したならば（Ｓ４２）、基地局ＣＳから端末ＰＳへとＴＣＨ交換要求を送信する（Ｓ４３）。これに対してＴＣＨ交換応答（ＯＫ）があれば（Ｓ４４）、図４（ｂ）管理テーブルの情報構成図に示すように情報の入れ替えを実行する。ついで、第２ＴＣＨを解放する（Ｓ４５）。
【００２４】
図４（ｂ）に示すように、第１ＴＣＨと第２ＴＣＨの情報は端末ＰＳ、基地局ＣＳともにソフト上の管理テーブルに記憶されている。現在の端末ＰＳでは基地局ＣＳより第１ＴＣＨとして接続中のスロットを解放すべきメッセージを受信すると、第２ＴＣＨも同時に切断してしまうので、切断したい方を第２ＴＣＨに設定する必要がある。
【００２５】
ここで、例えば、「ＴＣＨ交換要求（Ｓ４３）」・「応答（Ｓ４４）」等の新規メッセージを追加し、端末ＰＳと基地局ＣＳの合意が得られた時点で、第１ＴＣＨと第２ＴＣＨの管理テーブル情報を入れ替える。このことを、図５に沿って説明する。
【００２６】
図５は本実施形態におけるＴＣＨ交換のシーケンス図である。図５の（Ｓ５１）に示すように、「第１ＴＣＨの無線状態が悪く、第２ＴＣＨは良好な無線状態」という場合、無線状態が悪い片方だけを解放することができる。
【００２７】
ついで（Ｓ５２）に示すように、ＴＣＨ交換することにより、「第２ＴＣＨの無線状態が悪く、第１ＴＣＨは良好な無線状態」とし、（Ｓ５３）に示すように、「第２ＴＣＨを切断して、第１ＴＣＨは良好な無線状態」として通話を維持する。
【００２８】
なお、スロット限定のパケット呼が第１ＴＣＨのスロットに着呼した場合も同じ動きをすることにより許容できる。
【００２９】
図６は本実施形態に係る通信システムＥの概略構成図である。図６に示す通信システムＥは、多数の移動端末ＰＳおよび、それら移動端末ＰＳとの無線通信を中継可能な基地局ＣＳにより構成されている。
【００３０】
基地局ＣＳは、第１の無線チャネル１と、第２の無線チャネル２と、スロットダイバーシティ機能部３と、を含んで構成されている。また、スロットダイバーシティ機能部３は、無線チャネル交換部４と、通信品質検出手段５と、通信品質比較手段６と、制御部７と、を含んで構成され、ある基地局ＣＳにおける第１の無線チャネル１または第２の無線チャネル２に接続された通信信号のうち通信品質の良い通信信号を採用する機能部である。
【００３１】
なお図６は請求項1に対応するように明示しており、図６における第１の無線チャネル１、第２の無線チャネル２、無線チャネル交換部４および通信品質検出手段６は、図１に示した無線部１５に含まれている。同様に、スロットダイバーシティ機能部３は、図１に示した基地局ＣＳ全体で構成されている。同様に、通信品質検出手段５および通信品質比較手段６は図１に示した通信状態監視部１５ｂおよび通信状態判定部１８に相当している。
【００３２】
第１の無線チャネル１は、基地局ＣＳが移動端末ＰＳとの無線通信が開始されると、まず始めに通信信号が接続される。第２の無線チャネル２は第１の無線チャネル１の補欠または予備に位置づけられて補完機能を果たす。この第２の無線チャネル２は、課金情報等の管理機能を備えた第１の無線チャネル１に通信信号が接続されたことを条件にして接続可能となる。
【００３３】
スロットダイバーシティ機能部３における無線チャネル交換部４は制御部７からの指示に応じて、第１の無線チャネル１と第２の無線チャネル２とを管理機能込みで交換する。管理機能とは、例えば、ＰＨＳにおける課金情報等を意味する。
【００３４】
通信品質検出手段５は、基地局ＣＳで受信した通信信号の通信品質を検出する。通信品質比較手段６は、通信品質検出手段５により検出された通信品質を第１の無線チャネル１と第２の無線チャネル２それぞれを経由した通信品質で比較検出する。なお、通信品質検出手段５および／または通信品質比較手段６は必ずしも基地局ＣＳに配設されたものを用いなくとも、端末ＰＳに配設されたものを用いて、それらの検出結果を基地局ＣＳの制御部７へ情報通信しても構わない。
【００３５】
制御部７は、第１の無線チャネル１の通信品質が所定基準より悪化した時、移動端末ＰＳに無線チャネル交換の可否を問い合わせた結果、追従して通信継続可能との応答があれば、無線チャネル交換部４に交換を指示して第１の無線チャネル１から第２の無線チャネル２へと機能を交換させる。なお、従来方式による管理機能は、第１の無線チャネル１にのみ係属し、第２の無線チャネル２には係属しないので、第２の無線チャネル２のみに通信を委ねると、管理機能を失うので、第１の無線チャネル１への係属を切断できなかった。
【００３６】
しかし、本実施形態において、無線チャネル交換部４の作動により通信の係属を第２の無線チャネル２のみに委ねた時、第１の無線チャネル１に属していた管理機能が、第２の無線チャネル２へと移管して維持される。したがって、第１の無線チャネル１に依存していた通信の係属を切断できる。そうすると、第１の無線チャネル１は、当初の通話が切断されるので他の通話に供与可能な状態となり通信リソースの有効利用が図れる。
【００３７】
なお、第１の無線チャネル１への係属を切断するように、基地局ＣＳにおける制御部７を機能させるため、必要情報を移動端末ＰＳとの間で通信可能であることが条件であり、そうでない場合、管理機能の無線チャネルへの係属は従来方式どおりである。つまり、移動端末ＰＳに無線チャネル交換の可否を問い合わせた結果、追従して通信継続可能との応答があった時にのみ機能する制御部７を基地局ＣＳに備えていればよい。あるいは、通信システムＥのどこかに同等機能の制御部７を具備するセンター等を設けても構わない。
【００３８】
したがって、移動端末ＰＳが旧式である等の原因により、基地局ＣＳとの間において必要情報を適宜に交換できない場合には、第１の無線チャネル１の通信品質が所定基準より悪化した時でも、第１の無線チャネル１を切断することなく第２の無線チャネル２と並存して生かし、これら２回路を１通話に専用利用させることになる。このことにより、旧式と新式の移動端末ＰＳが混在するなかでも、コンパティブル対応可能である。
【００３９】
図７は本実施形態に係る通信方法の概略を示すフローチャートである。通信接続ステップ（Ｓ１）により、移動端末からの通信信号を第１の無線チャネルまたは第２の無線チャネルに接続する。通信品質検出ステップ（Ｓ２）により通信信号の通信品質を検出する。通信品質比較ステップ（Ｓ３）により、第１の無線チャネルと第２の無線チャネルそれぞれによる通信品質を比較検出する。
【００４０】
スロットダイバーシティステップ（Ｓ４）により、第１の無線チャネルまたは第２の無線チャネルに接続された通信信号のうち通信品質の良い通信信号を選択して通信に用いる。交換指示ステップ（Ｓ５）により、第１の無線チャネル１の通信品質が所定基準より悪化した時、移動端末ＰＳに無線チャネル交換の可否を問うと共に、第１の無線チャネル１から第２の無線チャネル２へと管理機能を含めた機能を交換させるように無線チャネル交換部４へ指示する。
【００４１】
交換実行ステップ（Ｓ６）により、無線チャネル交換部４が第１の無線チャネル１と第２の無線チャネル２を交換するとともに、第１の無線チャネル１から当初の通話を切断して他の通話に供与可能な状態に解放する。
【００４２】
なお、図７は請求項6に対応するように明示しており、通信接続ステップ（Ｓ１）〜スロットダイバーシティステップ（Ｓ４）は図３（Ｓ３１〜Ｓ３３）および図４（Ｓ４１〜Ｓ４２）に相当し、通信品質検出ステップ（Ｓ２）および通信品質比較ステップ（Ｓ３）は図３（Ｓ３３）および図５（Ｓ５１）に相当する。また、交換指示ステップ（Ｓ５）および交換実行ステップ（Ｓ６）は図３（Ｓ３４〜Ｓ３７）および図４（Ｓ４３〜Ｓ４５）に相当する。このようステップを含む通信方法の作用効果は、図６に沿って説明した本システムＥの作用効果と同等である。
【００４３】
なお、前述した実施の形態において示した各構成部材の諸形状や組み合わせ等は一例であって、本発明の主旨から逸脱しない範囲において設計要求等に基づき種々変更可能である。
【図面の簡単な説明】
【００４４】
【図１】本実施形態に係るＰＨＳ端末とＰＨＳ公衆基地局の各部機能を示すブロック図である。
【図２】本実施形態に係るＰＨＳ公衆基地局の記憶部における呼管理テーブルの情報構成図である。
【図３】は本実施形態におけるＴＣＨ交換の説明図であり、（ａ）フローチャート、（ｂ）管理テーブルの情報構成図である。
【図４】本実施形態におけるＴＣＨ交換の説明図であり、（ａ）シーケンス図、（ｂ）管理テーブルの情報構成図である。
【図５】本実施形態におけるＴＣＨ交換のシーケンス図である。
【図６】本実施形態に係る通信システムの概略構成図である。
【図７】本実施形態に係る通信方法の概略を示すフローチャートである。
【符号の説明】
【００４５】
１  第１の無線チャネル
２  第２の無線チャネル
３  スロットダイバーシティ機能部
４  無線チャネル交換部
５  通信品質検出手段
６  通信品質比較手段
７  制御部
ＣＳ  基地局
Ｅ  通信システム（本システム）
ＰＳ  移動端末
Ｓ１  通信接続ステップ
Ｓ２  通信品質検出ステップ
Ｓ３  通信品質比較ステップ
Ｓ４  スロットダイバーシティステップ
Ｓ５  交換指示ステップ
Ｓ６  交換実行ステップ
【図１】
2008166924.tif 000003
【図２】
2008166924.tif 000004
【図３】
2008166924.tif 000005
【図４】
2008166924.tif 000006
【図５】
2008166924.tif 000007
【図６】
2008166924.tif 000008
【図７】
2008166924.tif 000009